(57)【要約】【課題】引っ掛け場所の制限が少なく、良好な利便性が得られる物干しハンガーを提供する。【解決手段】本発明は、複数のピンチ５が設けられたハンガー本体４と、フック基台２上に設けられ、かつハンガー本体４を吊持するためのフック１とを備えた物干しハンガーを対象とする。ハンガー本体４における外枠４１の一部が内側に凹むように形成されることにより、周辺部位を収容可能な凹み枠部４５が形成されている。【選択図】図１
2019047908.tif 000002
【特許請求の範囲】
【請求項１】
複数のピンチが設けられた枠状のハンガー本体と、フック基台上に設けられ、かつ前記ハンガー本体を吊持するためのフックとを備えた物干しハンガーであって、
前記ハンガー本体における外枠の一部が内側に凹むように形成されることにより、周辺部位を収容可能な凹み枠部が形成されていることを特徴とする物干しハンガー。
【請求項２】
ポールを有する器具に前記フックが引っ掛け可能に構成されており、
前記凹み枠部は、その内部に前記ポールを収容可能に構成されている請求項１に記載の物干しハンガー。
【請求項３】
前記フック基台の端縁に、前記ポールの外周面に沿うように配置されて前記ポールに対する位置を安定させるための位置安定用凹部が設けられている請求項２に記載の物干しハンガー。
【請求項４】
平面視において前記凹み枠部の最奥部が前記ハンガー本体の略中心位置に配置されている請求項１〜３のいずれか１項に記載の物干しハンガー。
【請求項５】
前記フックは前記フック基台に対し水平方向に移動自在に、かつ所定の移動位置において固定可能に取り付けられている請求項１〜４のいずれか１項に記載の物干しハンガー。
【発明の詳細な説明】
【技術分野】
【０００１】
この発明は、例えば洗濯した衣料品等を室内等で乾かす際に用いることができる洗濯用等の物干しハンガーに関する。
【背景技術】
【０００２】
洗濯した衣料品等を部屋干し（室内干し）するような場合、垂直方向に延びる一対のポール（支柱）の上端部間にハンガーバーが架け渡された物干しスタンドやハンガーラック等の物干し器具に、物干しハンガーを介して衣料品を吊り下げるようにして部屋干しする光景が多く見られる。
【０００３】
下記特許文献１等に示すように従来、部屋干し用等の物干しハンガーにおいて、多数の小物の衣料品を乾かすことができるものとして、多数のピンチを有する矩形枠のハンガー本体がチェーンを介してフックに吊持されたものが周知である。このような物干しハンガーは、ハンガー本体の各ピンチに小物の衣料品をそれぞれ挟持して乾かすものであるが、各衣料品に対して風通し等を良くするために、フックを上記物干し器具に引っ掛けた際に、ハンガー本体が水平姿勢に保持されるように調整するのが好ましい。
【先行技術文献】
【特許文献】
【０００４】
【特許文献１】特許第３２８６２９３号
【発明の概要】
【発明が解決しようとする課題】
【０００５】
しかしながら、特許文献１に示すような従来の物干しハンガーは、ハンガー本体における水平方向のサイズが大きいため、上記のようなポールを有する物干し器具におけるポール近傍に引っ掛けると、ポールとの干渉による不具合、例えばハンガー本体の外枠が、ポールに当たってハンガー本体が大きく傾いてしまい、良好な部屋干し状態を得ることが困難になってしまうという不具合が発生する。このため従来の物干しハンガーは、ポール近傍等、ハンガーバーの端部に配置できず、中間部に配置する必要がある。このように従来の物干しハンガーは、引っ掛ける場所が制限されてしまい、使い勝手が悪く良好な利便性を得ることが困難であるという課題があった。
【０００６】
この発明は、上記の課題に鑑みてなされたものであり、物干し器具に対する引っ掛け場所の制限が少なく、良好な利便性を得ることができる物干しハンガーを提供することを目的とする。
【課題を解決するための手段】
【０００７】
上記課題を解決するため、本発明は、以下の手段を備えるものである。
【０００８】
［１］複数のピンチが設けられた枠状のハンガー本体と、フック基台上に設けられ、かつ前記ハンガー本体を吊持するためのフックとを備えた物干しハンガーであって、
前記ハンガー本体における外枠の一部が内側に凹むように形成されることにより、周辺部位を収容可能な凹み枠部が形成されていることを特徴とする物干しハンガー。
【０００９】
［２］ポールを有する器具に前記フックが引っ掛け可能に構成されており、
前記凹み枠部は、その内部に前記ポールを収容可能に構成されている前項１に記載の物干しハンガー。
【００１０】
［３］前記フック基台の端縁に、前記ポールの外周面に沿うように配置されて前記ポールに対する位置を安定させるための位置安定用凹部が設けられている前項２に記載の物干しハンガー。
【００１１】
［４］平面視において前記凹み枠部の最奥部が前記ハンガー本体の略中心位置に配置されている前項１〜３のいずれか１項に記載の物干しハンガー。
【００１２】
［５］前記フックは前記フック基台に対し水平方向に移動自在に、かつ所定の移動位置において固定可能に取り付けられている前項１〜４のいずれか１項に記載の物干しハンガー。
【発明の効果】
【００１３】
発明［１］［２］の物干しハンガーによれば、ハンガー本体の外枠に凹み枠部を形成しているため、その凹み枠部内にポール等の周辺部位を収容するようにフックを物干し器具等に引っ掛けることにより、ポール等との干渉による不具合、例えばハンガー本体がポール等に当たって大きく傾いてしまうような不具合を防止でき、ハンガー本体を所望の水平姿勢に保持することができる。このように本発明の物干しハンガーは、ポールの位置等を気にせずに、ポール近傍等、どのような位置にも引っ掛けて使用することができ、引っ掛け場所が制限されず、良好な利便性を得ることができる。
【００１４】
発明［３］の物干しハンガーによれば、フック基台の端縁に位置安定用凹部が設けられているため、その凹部をポールの外周面に沿わせるように配置することにより、フック基台のポールに対する位置を安定させることができる。このためフック基台がポールに対し不用意に位置ずれして、ハンガー本体が傾いてしまうような不具合を防止でき、ハンガー本体を水平姿勢に確実に維持できて、一層利便性を向上させることができる。
【００１５】
発明［４］の物干しハンガーによれば、凹み枠部の最奥部をハンガー本体の略中心位置、つまりフックにほぼ対応する位置に配置しているため、フックをポールと隣接する位置に引っ掛けたとしても、ポールを凹み枠部内に確実に収容できて無理なく配置することができる。従ってポール等を有する物干し器具に対し、どの位置に引っ掛けても、ほぼ問題なく使用でき、より一層利便性を向上させることができる。
【００１６】
発明［５］の物干しハンガーによれば、フックをフック基台に対し水平方向に移動自在に、かつ所定の移動位置で固定可能に構成しているため、室内ドアの上端、ドアノブ、鴨居等、垂直面近傍にフックを引っ掛ける場合には、フックを垂直面側に水平移動させておけば、ハンガー本体を水平に姿勢に維持できて、良好な利便性をより一層確実に得ることができる。
【図面の簡単な説明】
【００１７】
【図１】図１はこの発明の実施形態である物干しハンガーをハンガーラックの端部に吊り下げた状態で示す斜視図である。
【図２】図２は実施形態の物干しハンガーを示す平面図である。
【図３】図３は実施形態の物干しハンガーを示す正面図である。
【図４】図４は実施形態の物干しハンガーを示す側面図である。
【図５】図５は実施形態の物干しハンガーを室内ドアの上端に吊り下げた状態で示す側面図である。
【発明を実施するための形態】
【００１８】
図１はこの発明の実施形態である物干しハンガーをハンガーラックの端部に吊り下げた状態で示す斜視図、図２は実施形態の物干しハンガーの平面図、図３は正面図、図４は側面図である。なお以下の説明においては、発明の理解を容易にするために、図２の紙面に向かって下側を「前方（正面側）」、上側を「後方（背面側）」、左右両側を「左右両側」として説明する。
【００１９】
これらの図に示すように、本実施形態の物干しハンガーは、フック１と、フック基台２と、チェーン３と、ハンガー本体４と、洗濯バサミとしての多数のピンチ５とを基本的な構成要素として備えている。
【００２０】
ハンガー本体４は、平面視において略矩形状（長方形状）の外枠４１を有している。この外枠４１における周囲四辺を構成する４本の枠片のうち後枠片４１ｂの中間部には、水平方向の内側（前方）に大きくＵ字状に凹み変形するようにして凹み枠部４５が形成されている。この凹み枠部４５の最奥部（前端部）４６は平面視円弧状に形成されている。さらにこの円弧状の最奥部４６は平面視においてハンガー本体４の略中心位置、換言すると使用状態（吊り下げ状態）においてフック１に対応する位置に配置されている。
【００２１】
言うまでもなく本実施形態において、凹み枠部４５は、後方に開放されており、その後端開放部側から後述するポール９１等の周辺部位を凹み枠部４５内に収容できるように構成されている。
【００２２】
なお本実施形態においては、凹み枠部４５は、外枠４１における後枠片４１ｂの１箇所に形成するようにしているが、それだけに限られず、凹み枠部４５を複数形成するようにしても良い。例えば凹み枠部４５を、外枠４１における後枠片４１ｂと前枠片４１ａの２箇所に形成するようにしても良い。
【００２３】
ハンガー本体４における凹み枠部４５の最奥部４６の両側部と、その両側部に対向するハンガー本体４のコーナー部との間には、その間を架け渡すように補助枠４２がそれぞれ一体に形成されている。
【００２４】
またハンガー本体４における外枠４１および補助枠４２の下面側には、適宜間隔をおいて多数のピンチ５が吊り棒５１を介して吊持されている。
【００２５】
フック基台２は、水平に配置される基板２１と、その基板２１上に一体に形成され、かつ垂直に配置される連結板２５とを備え、正面視逆Ｔ字状に形成されている。基板２１は前後方向に延びる長板形状に形成されるとともに、連結板２５も同様に前後方向の延びる長板形状に形成されている。
【００２６】
基板２１の四隅には、４本のチェーン３の各上端部が揺動自在に取り付けられるとともに、４本のチェーン３の各下端部が、ハンガー本体４の適当な４箇所に揺動自在に取り付けられている。
【００２７】
また基板２１の前端縁および後端縁は、平面視において内側に凹むようにして位置安定用凹部２２がそれぞれ形成されている。両位置安定用凹部２２は、後述するようにハンガーラック９等のポール（支柱）９１の外周面に沿い得るように、平面視において円弧状に形成されている(図２参照）。
【００２８】
連結板２５は、長さ方向（前後方向）に延びる長孔２６が形成されている。さらに連結板２５にける長孔２６の上縁には、その前後両端および中間部に上方に凹むようにして位置決め凹部２７がそれぞれ形成されている（図４および図５参照）。
【００２９】
一方、フック１は、Ｕ字状ないしＣ字状のフック本体１１と、上下方向に延びる連結棒１５とを備えている。フック本体１１は、連結棒１５の上端に連結棒１５の軸心回り（上下方向の軸回り）に回転自在に取り付けられている。
【００３０】
連結棒１５は、その上端部を除く部分が左右に分割されて、下方に互いに平行に延びる２本の分割片１６，１６が設けられている。この分割片１６，１６間に、上記フック基台２の連結板２５の上部が配置されて、分割片１６，１６の下端部が連結板２５の長孔２６に対応して配置される。そして長孔２６を貫通する軸部材１７の両端部が分割片１６，１６の下端部にそれぞれ固定される。この構成においては、軸部材１７が長孔２６の長さ方向に沿ってスライドすることによって、フック１がフック基台２に対し前後方向に移動できるように構成されている。さらに軸部材１７が長孔２６の所望の位置決め凹部２７に嵌め込まれることにより、軸部材１７の長孔２６に対する位置が固定されて、フック１のフック基台２に対する移動が阻止されるように構成されている。こうしてフック１はフック基台２に対し前後方向（水平方向）に移動自在に、かつ長孔２６の前端位置、中間位置および後端位置のいずれかの位置において固定可能に構成されている。なお通常の使用状態では、フック１はフック基台２の中間位置に配置されている。
【００３１】
以上のように構成された本実施形態の物干しハンガーを使用する場合には通常、フック１を物干しスタンドの物干し竿に引っ掛けて、洗濯した衣料品をピンチ５に挟み込んで吊り下げて乾かすものである。
【００３２】
ここで図１に示すように本実施形態の物干しハンガーにおいては、垂直に延びる一対のポール（支柱）９１の上端間に架け渡すようにハンガーバー９２が取り付けられたハンガーラック９等の物干し器具に引っ掛けて使用する場合、ポール９１の近傍等、ハンガーバー９２の端部に引っ掛けても不具合なく使用することができる。すなわち本実施形態の物干しハンガーにおいては、そのハンガー本体４の外枠４１に凹み枠部４５を形成しているため、フック１をハンガーバー９２の端部に引っ掛ける際に、凹み枠部４５内にポール９１が収容されるように配置すれば、外枠４１がポール９１に当たってハンガー本体４が大きく傾いてしまうのを確実に防止でき、ハンガー本体４を正常な水平状態に保持することができ、不具合なく使用することができる。このように本実施形態の物干しハンガーは、ハンガーバー９１の端部に引っ掛けても不具合なく使用できるため、引っ掛け場所が制限されず、使い勝手が良く良好な利便性を得ることができる。
【００３３】
その上さらに本実施形態の物干しハンガーによれば、フック基台２の前後端縁に、ポール９１の外周面に沿い得る円弧状の位置安定用凹部２２を形成しているため、図２の想像線に示すようにその位置安定用凹部２２の円弧状内周面をポール９１の円弧状外周面に適合状態に接触させることができ、フック基台２のポール９１に対する位置が安定する。このためフック基台２がポール９１に対し不用意に位置ずれして、ハンガー本体４が傾いてしまうような不具合を防止でき、ハンガー本体４の水平姿勢を確実に維持することができ、より一層利便性を向上させることができる。
【００３４】
また本実施形態の物干しハンガーによれば、凹み枠部４５の最奥部４６をハンガー本体４のほぼ中心位置、つまりフック１にほぼ対応する位置に配置しているため、ハンガーラック９のポール９１を凹み枠部４５の最奥部４６まで収容することによって、ポール９１をハンガー本体４のほぼ中心位置に配置することができる。換言すると、本実施形態の物干しハンガーをそのフック１をハンガーラック９のポール９１に隣接させるような位置に引っ掛けたとしても、ハンガーラック９のポール９１を凹み枠部４５内に収容して無理なく配置することができる。このように本実施形態の物干しハンガーはハンガーラック９等のポール９１を有する物干し器具に対しどの位置にも引っ掛けて使用することができ、利便性をなお一層向上させることができる。
【００３５】
また本実施形態の物干しハンガーによれば、フック１をフック基台２に対し前後方向に移動自在に、かつ前端位置、中間位置および後端位置のいずれかの位置で固定可能に構成しているため、フック１を室内ドア８の上端や、鴨居等、垂直面近傍に引っ掛けても不具合なく使用することができる。すなわち図５に示すようにフック１の軸部材１７を、フック基台２の長孔２６における前端位置または後端位置、例えば後端位置の位置決め凹部２７内に収容して固定する。こうするとフック本体１１からハンガー本体４の前枠片４１ａまでの距離が、フック本体１１からハンガー本体４の後枠片４１ｂまでの距離よりも長くなるため、この状態でフック１を室内ドア８の上端等に引っ掛けた場合、後枠片４１ｂがドア面に当たって前方に押されるものの、ハンガー本体４をほぼ水平な姿勢に維持できて、良好な部屋干し状態を得ることができる。このように本実施形態の物干しハンガーは、室内ドア８の上端や、鴨居、ドアノブ等、垂直面近傍に引っ掛けても不具合なく使用できるため、より一層良好な利便性を確実に得ることができる。
【００３６】
なお上記実施形態においては、物干しハンガーをハンガーラック９やドア８に掛ける場合を例に挙げて説明したが、本発明の物干しハンガーの引っ掛け場所は特に限定されるものではなく、どのような場所に引っ掛けるようにしても良い。例えば室内用の物干しスタンドやポールハンガー等に引っ掛けるようにしても良いし、ドアノブ、鴨居、洗濯紐等に引っ掛けても良い。さらには室外用の物干し等、ベランダや庭等の屋外で引っ掛けて使用しても良い。
【００３７】
また上記実施形態においては、フック基台２にチェーン３を介してハンガー本体４を吊持するようにしているが、それだけに限られず、本発明においてはチェーン３以外の吊持部材によってハンガー本体４をフック基台２に吊持するようにしても良い。例えば棒状部材や柔軟な紐状部材等の吊持部材によってハンガー本体４をフック基台２に吊持するようにしても良い。
【００３８】
また上記実施形態においては、ハンガー本体４の外枠４１として長方形（矩形）に形成しているが、本発明において、外枠の形状は特に限定されるものではなく、正方形やひし形等、長方形以外の四角形状に形成しても良いし、四角形以外の多角形に形成しても良い。さらに本発明においてハンガー本体の外枠は、多角形以外の形状、例えば円形、楕円形、長円形等に形成しても良い。
【産業上の利用可能性】
【００３９】
この発明の物干しハンガーは、洗濯した衣料品等を室内で干して乾かす際のランドリー用品として好適に用いることができる。
【符号の説明】
【００４０】
１：フック
２：フック基台
２２：位置安定用凹部
４：ハンガー本体
４１：外枠
４５：凹み枠部
４６：最奥部
５：ピンチ
９１：ポール
【図１】
2019047908.tif 000003
【図２】
2019047908.tif 000004
【図３】
2019047908.tif 000005
【図４】
2019047908.tif 000006
【図５】
2019047908.tif 000007